(57)【特許請求の範囲】
【請求項１】
正面側に筆記面を有する扁平なボード本体と、
そのボード本体を支持する左右の脚と、
前記ボード本体をスタンドの上に立てて使用するとき、前記左右の脚を連結してそのスタンドを構成する補強ステーと、
前記ボード本体を壁面に掛けて使用するとき、前記補強ステーに取り付けて一体化し、壁面に取り付けて前記ボード本体を掛ける壁掛取付具と、
を備える、ライティングボード。
【発明の詳細な説明】
【０００１】
【発明の属する技術分野】
この発明は、たとえば電子黒板・ホワイトボード・掲示板・伝言板など、扁平なボード本体に有する筆記面に筆記具を用いて文字や絵等の書込みを行うライティングボードに関する。
【０００２】
【従来の技術】
従来、たとえば電子黒板の中に、使用者の選択に応じて、扁平な黒板本体を床の上で移動自在に使用できるように、黒板本体を立てて支持するキャスタ付きスタンドを備えるとともに、その黒板本体を壁面に掛けて使用することもできるように、幾つかの壁掛用取付部品を備える構成としたものがある。
【０００３】
そして、たとえば壁面に掛けて使用する場合は、図１１に示すように、黒板本体１の左右側縁に、それぞれ上端に逆Ｖ状に切い欠いたフック部２ａを有する長手の掛け具２をねじ止めする。一方、壁面３には、黒板本体１の壁掛け高さ位置に応じてそれぞれ壁掛取付具４と固定具５をねじ止めする。そのうち壁掛取付具４は、黒板本体１を安定して掛け止めるべく、その黒板本体１の横幅とほぼ同じ長さの板金を用い、その両端に、掛け具２のフック部２ａと対応してＶ状に切り欠いたフック部４ａを設けてなる。
【０００４】
そして、壁面３に掛けるとき、黒板本体１を持ち上げて、掛け具２のフック部２ａを壁掛取付具４のフック部４ａに引っ掛けて黒板本体１を吊り下げ、その下側側縁を正面側から固定具５にねじ止めしていた。
【０００５】
【発明が解決しようとする課題】
ところが、従来の電子黒板等では、上述のように黒板本体１をスタンドの上に立てて使用できるとともに、壁面３に掛けて使用することもできるように、全体に共通の構成部品中に、壁掛取付具４のほか比較的長い大型の部品を必要とすることから、それだけ全体にコストが高くなるという問題があった。
【０００６】
【課題を解決するための手段】
そこで、請求項１に記載の発明は、ライティングボードにおいて、
正面側に筆記面を有する扁平なボード本体と、
そのボード本体を支持する左右の脚と、
前記ボード本体をスタンドの上に立てて使用するとき、前記左右の脚を連結してそのスタンドを構成する補強ステーと、
前記ボード本体を壁面に掛けて使用するとき、前記補強ステーに取り付けて一体化し、壁面に取り付けて前記ボード本体を掛ける壁掛取付具と、
を備えることを特徴とする。
【０００７】
そして、スタンド１０を用いて使用するときは、左右の脚１２を補強ステー１５で連結してスタンド１０を組み立て、そのスタンド１０で支持してその上にボード本体を立てる。一方、壁掛け使用するときは、補強ステー１５の両端に壁掛取付具３０を連結して一体化し、その一体化したものを壁面Ｗに固定してから、ボード本体を壁掛取付具３０に掛ける。
【０００８】
【発明の実施の形態】
以下、図面を参照しつつ、この発明の実施の形態について説明する。
図２は、この発明による電子黒板を、スタンドを用いる使用態様において示す斜視図である。
【０００９】
まず、この電子黒板には、スタンド１０と、スタンド１０で支持する黒板本体（この発明にいう「ボード本体」）１１を備える。
【００１０】
スタンド１１は、２本の角パイプを溶接して逆Ｔ字型に組み付けた左右の脚１２と、それら脚１２に連結する補強ステー１５とで構成する。脚１２には、それぞれキャスタ１３を取り付けてなる。補強ステー１５は、黒板本体１１の横幅より若干短い角パイプを用い、図示しないが、その角パイプの両端開口を、ねじ穴を有する板金を溶接して塞いでなる。
【００１１】
そして、図示電子黒板では、上記スタンド１０を使用するときに、Ｔ字型の脚１２に、その下側で補強ステー１５の両端をねじ止めしてスタンド１０を組み立てる。
【００１２】
一方、黒板本体１１は、全体に四角い横長扁平状をなし、後側に複数の角パイプで矩形枠状に形成したベースフレーム１４を備える。ベースフレーム１４は、左右の垂直枠１４ａの下端に、それぞれ短い角パイプからなるジョイント部材２１を固定して図中下向きに突出させてなる。
【００１３】
そして、ベースフレーム１４の前側で支持する左右のローラ間にエンドレスの筆記シート１６を張り渡し、筆記シート１６の一部を、ベースフレーム１４に取り付けた窓枠１７の正面窓ａから臨ませ、そこに筆記面Ｓを形成してなる。また、黒板本体１１内には、図示しないが、ベースフレーム１４に取り付けて支持する光学読取装置を備える。
【００１４】
さらに、ベースフレーム１４の下部には、プリンタ１８と、各種スイッチ等を設ける操作部ユニット１９を備える。一方、窓枠１７には、その下縁に沿って細長板状のペントレイ２０を設けてなる。
【００１５】
そして、図示電子黒板では、黒板本体１１を持ち上げ、ジョイント部材２１を脚１２の上端に挿入し、その脚１２と垂直枠１４ａとを直線状に連結してベースフレーム１４をねじ２２でスタンド１０上に固定し、そのスタンド１０で黒板本体１１を立てて支持する。
【００１６】
そうして、この電子黒板を使用するときは、ペントレイ２０上のマーカーペン等の筆記具を用いて筆記面Ｓに文字や絵等の書込みを行う。
【００１７】
書込み内容のコピーを取るときは、操作部ユニット１９上のコピースイッチを操作して筆記シート１６を搬送し、そのシート１６上の書込み内容を上記光学読取装置で読み取り、そこからの信号をプリンタ１８に入れ、読取内容を縮小して該プリンタ１８内に収納した用紙に記録しながら、その記録済用紙を排出する。
【００１８】
一方、書込み内容を消去するときは、適宜イレーサで筆記面Ｓを拭いて書込み内容を掻き消す。
【００１９】
さて、この発明による電子黒板は、以下に示すように、黒板本体１１を、上述した同じ補強ステー１５を用いて壁掛け使用することもできる。
【００２０】
そのため、この電子黒板は、補強ステー１５に加えて、図１に示すように、図中符号３０で示す壁掛取付具と、符号２６で示す一対の掛け具と、符号２７で示す一対の固定具を備える。
【００２１】
そして、この電子黒板を壁掛け使用するときは、補強ステー１５の両端に一対の壁掛取付具３０を連結する。しかして、補強ステー１５で壁掛取付具３０を一体化し、その間隔を一定に保持して１つの壁掛ユニット２５を形成してなる。
【００２２】
壁掛取付具３０は、図３でも示すように、それぞれ複数のねじ貫通穴を設ける板金を折り曲げてつくり、一端側の折曲片３０ａの上縁をＶ状に切り欠いてそこにフック部３１を形成してなる。
【００２３】
掛け具２６は、図１に示すように、板金を２つに折り曲げてつくり、一側の長手折曲片２６ａに複数のねじ貫通穴を設け、他側の折曲片２６ｂの下縁に、逆Ｖ状に切り欠いたフック部２６ｃを設けてなる。
【００２４】
固定具２７は、図４でもに示すように、板金を折り曲げてなるアングル材３２と、パイプ材３３とで構成する。アングル材３２は、１つの折曲片２７ａにねじ貫通穴をあけ、他の折曲片２７ｂにパイプ材３３を溶接してなる。パイプ材３３は、上記ジョイント部材２１のパイプ形状に合わせて形成した短い角パイプで、ねじ貫通穴を設けてなる。
【００２５】
そして、この電子黒板を壁掛け使用するときは、図３に示すように、補強ステー１５の両端に壁掛取付具３０をそれぞれねじ３４で固定し、図５に示すように壁掛ユニット２５を組み立てる。それから、壁掛ユニット２５を、図１に示すように、横に水平にして壁面Ｗの適宜高さ位置にねじ止めする。
【００２６】
一方、黒板本体１１には、ベースフレーム１４の左右垂直枠１４ａの後側面に、掛け具２６の折曲片２６ａをねじ止めする。また、ジョイント部材２１を固定具２７のパイプ材３３に差し込み、それをジョイント部材２１にねじ止めする。
【００２７】
それから、図６に示すように、黒板本体１１を持ち上げ、掛け具２６のフック部２６ｃを壁掛取付具３０のフック部３１に引っ掛けて黒板本体１１を吊り下げる。そして、図７に示すように、固定具２７のアングル材３２が壁面Ｗに当接した位置で、固定具２７をねじ止めして黒板本体１１を壁面Ｗに固定する。
【００２８】
ところで、従来、たとえば電子黒板のスタンドは、通常、その梱包時、図８に示すように、Ｔ型の脚３７を互い違いに配置し、補強ステー３８を、それら脚３７とともにスタンド梱包箱３９に収納している。しかし、補強ステー３８は、ワイドタイプの電子黒板ともなると180cm程度の長さとなるため、それに応じてスタンド梱包箱３９も大型のものが必要であった。
【００２９】
そこで、上述した電子黒板では、上記スタンド１０の脚１２を、図９に示すように、互い違いに配置してスタンド梱包箱４１に収納する一方、補強ステー１５は、図１０に示すように、黒板本体１１を収納する本体梱包箱４０に収納する構成とする。
【００３０】
したがって、図示電子黒板では、補強ステー１５を本体梱包箱４０に収納するため、スタンド梱包箱４０は、脚１２が収まる大きさにすればよく、それだけ小型にすることができる。
【００３１】
【発明の効果】
よって、請求項１に記載の発明によれば、ボード本体をスタンドの上に立てて使用するとき、左右の脚を連結してそのスタンドを構成する補強ステーと、ボード本体を壁面に掛けて使用するとき、補強ステーに取り付けて一体化し、壁面に取り付けてボード本体を掛ける壁掛取付具とを備えるので、ボード本体をスタンドの上に立てて使用するときとボード本体を壁面に掛けて使用するときとで同一の補強ステーを兼用して部品の共通化を図る構成とするため、全体の構成部品の中で、壁掛専用の壁掛取付具自体が小型のもので済み、その結果、従来のように比較的長くて大型の壁掛取付具が別に必要でなくなり、それだけ全体にコストを低くすることができる。また、ボード本体の横幅より若干小さい程度の大きな補強ステーをボード本体と同梱すれば、通常ボード本体とは別個に梱包される左右の脚には、左右の脚を連結する補強ステーを一緒に梱包する必要がなくなり、梱包の大きさを小さくすることができる。
【図面の簡単な説明】
【図１】この発明による電子黒板の黒板本体と壁掛用の各部材を示す斜視図である。
【図２】その黒板本体をスタンドを用いる使用態様において示す斜視図である。
【図３】その黒板本体の壁掛取付具と補強ステーの一部を示す拡大斜視図である。
【図４】その黒板本体の固定具を示す拡大斜視図である。
【図５】上記壁掛取付具と補強ステーの組付け後の拡大斜視図である。
【図６】上記黒板本体を壁面に掛ける状態を示す側面図である。
【図７】その黒板本体の壁掛け後の側面図である。
【図８】従来の電子黒板で、スタンドの脚をスタンド梱包箱に収納する状態を示す斜視図である。
【図９】この発明による電子黒板で、スタンドの脚をスタンド梱包箱に収納する状態を示す斜視図である。
【図１０】その電子黒板の黒板本体と一緒に補強ステーを本体梱包箱に収納する状態を示す斜視図である。
【図１１】従来の電子黒板を、黒板本体の壁掛使用態様において示す斜視図である。
【符号の説明】
１０  スタンド
１１  黒板本体（ボード本体）
１２  脚
１５  補強ステー
３０  壁掛取付具
Ｓ    筆記面
Ｗ    壁面
【図１】
0003963544.tif 000002
【図２】
0003963544.tif 000003
【図３】
0003963544.tif 000004
【図４】
0003963544.tif 000005
【図５】
0003963544.tif 000006
【図６】
0003963544.tif 000007
【図７】
0003963544.tif 000008
【図８】
0003963544.tif 000009
【図９】
0003963544.tif 000010
【図１０】
0003963544.tif 000011
【図１１】
0003963544.tif 000012